(57)【要約】【課題】  使用と製造の両方とも容易であるような軽くスリムでありコンパクトな連続的に調整可能な締め付けシステムが取り付けられた腕輪を提供する。【解決手段】  本発明は、２つのストランド（１、２）を有する腕輪であって、２つのストランドの一方のストランドに少なくとも１つの長手方向の溝（４）及び他方のストランドに少なくとも１つの長手方向の突起（５）がある締め付けシステムを備えるものに関する。溝と突起の材料と形は、腕輪ストランドの２つの重なり合った部分に腕輪のユーザーが与える圧力の下で溝と突起が相互ロックするように構成している。ストランド（１、２）の間の接続は、好ましくは、上側のストランド（２）を下側のストランド（１）から遠ざけるように剥がすことによって、容易に分離することができる。本発明の腕輪においては、重い複雑な要素を必要とせずに、連続的な長さ調整が可能である。【選択図】  図１
2019209122.tif 000002
【特許請求の範囲】
【請求項１】
第１のストランド（１）と第２のストランド（２）を有する腕輪であって、
当該腕輪が締め付けられているときに、一方のストランドの１つの面は、他方のストランドの１つの面を少なくとも部分的に覆っており、
当該腕輪は、前記第１のストランドの面の上にて前記第１のストランドの長手方向に広がっている少なくとも１つの溝（４）があり、
前記第２のストランドの長手方向に前記第２のストランドの面の上にて延在している少なくとも１つの突起（５）がある締め付けシステムを備え、
前記突起（５）及び前記溝（４）にはそれぞれ、ハウジング部分（１０、１２）と、及びこのハウジング部分（１０、１２）とストランドの面の間に位置しているネック区画（１１、１３）とがあり、
前記突起（５）及び／又は前記溝（４）の材料はそれぞれ、腕輪のユーザーが前記２つのストランド（１、２）の２つの対応する重なり合った部分を押し付けたときに、前記突起（５）の前記ハウジング部分（１０）が前記溝（４）の前記ハウジング部分（１２）と相互ロックすることが可能になるようにフレキシブル性を有しており、
前記第１及び第２のストランド（１、２）の一方は、下側位置となり、前記第１及び第２のストランド（１、２）の他方は、上側位置となる
腕輪。
【請求項２】
当該腕輪の締め付け位置において、上側のストランド（２）を下側のストランド（１）から遠ざけるように剥がすことによって前記突起（５）を前記溝（４）から除去して、前記腕輪締め付けシステムをアンロックすることが可能になる
請求項１に記載の腕輪。
【請求項３】
前記ストランド（１、２）は、フレキシブルな材料で形成された均質な要素である
請求項１又は２に記載の腕輪。
【請求項４】
前記ストランド（１、２）は、重合体又はゴムによって形成されている
請求項３に記載の腕輪。
【請求項５】
前記少なくとも１つの溝（４）及び／又は前記少なくとも１つの突起（５）は、フレキシブルな材料で形成された要素であり前記第１及び／又は第２のストランドにあり、
前記フレキシブルな材料は、前記溝及び／又は前記突起があるストランドの材料とは異なる材料である
請求項１又は２に記載の腕輪。
【請求項６】
前記第１のストランドには２つの溝（４）があり、前記第２のストランドには２つの突起（５）があり、
前記２つの溝及び前記２つの突起はそれぞれ、対応するストランドの長手方向の中央平面（６）に対して、両側にあり、対称的に配置されている
請求項１〜５のいずれかに記載の腕輪。
【請求項７】
前記第１のストランドには単一の溝（４）があり、
この溝（４）の幅は、前記第１のストランドの幅に近く、
前記第２のストランドには単一の突起（５）がある
請求項１〜５のいずれかに記載の腕輪。
【請求項８】
下側のストランド（１）の面の断面は凸状に曲がっている
請求項１〜７のいずれかに記載の腕輪。
【請求項９】
前記溝（４）及び／又は前記突起（５）の少なくとも一方には、表面にその粗さを大きくする構造又は被覆がある一又は複数の領域（１５）がある
請求項１〜８のいずれかに記載の腕輪。
【請求項１０】
前記溝（４）及び／又は前記突起（５）の少なくとも一方の面は、規則的な間隔で、寸法構成が変わっている
請求項１〜９のいずれかに記載の腕輪。
【請求項１１】
前記突起（５）及び対応する溝（４）の少なくとも一方の前記ハウジング部分（１０、１２）は、丸い形の断面を有する
請求項１〜１０のいずれかに記載の腕輪。
【請求項１２】
前記第１及び第２のストランドは、その端の一方によって互いに接続されており、これによって、一体化されたバンドが形成される
請求項１〜１１のいずれかに記載の腕輪。
【請求項１３】
前記第１及び第２のストランドは、一体化されるように作られている
請求項１２に記載の腕輪。
【請求項１４】
腕時計又は装飾品の腕輪である
請求項１〜１３のいずれかに記載の腕輪。
【請求項１５】
請求項１〜１４のいずれかに記載の腕輪を有する
腕時計又は装飾品。
【発明の詳細な説明】
【技術分野】
【０００１】
本発明は、腕輪締め付けシステムに関し、特に、合成材料で作られたフレキシブルな腕輪、例えば、腕時計ストラップや装飾品の腕輪、のためのものに関する。
【背景技術】
【０００２】
長い間、バックルやデプロイアントクラスプを備える腕時計ストラップ又は腕輪が知られている。これらのシステム、特に、合成材料で作られたものは、非常に磨耗しやすく、また、比較的厚く、したがって、快適性を与えず、さらに、腕輪の長さを非連続的にしか調整することができないという課題がある。すなわち、離散的な位置にしか調整することができない。このことは、着用者の腕まわりの径に対して腕輪の長さを適切に調整することができないことを意味している。磁気的締め付け機構やクリップ締め付け機構を備えた腕輪のような他の技術も提案されている。これによって、フレキシブルな調整が可能になるが、重いことが多く、使用が難しかったり、及び／又は複雑で高価な製造法を必要としたりする。また、バックル及びデプロイアントクラスプには相当な厚みがあり、場合によっては、取り付けられる腕時計よりも大きく、このために、美的外観を損なってしまったり、さらには、腕時計の快適性を損なってしまったりすることがある。
【発明の概要】
【発明が解決しようとする課題】
【０００３】
本発明は、使用と製造の両方とも容易であるような軽くスリムでありコンパクトな連続的に調整可能な締め付けシステムが取り付けられた腕輪を提供することを目的とする。この目的は、添付の請求の範囲に記載の腕輪によって達成される。
【課題を解決するための手段】
【０００４】
本発明は、２つの腕輪ストランドを有する腕輪であって、２つのストランドの一方のストランドに少なくとも１つの長手方向の溝及び他方のストランドに少なくとも１つの長手方向の突起がある締め付けシステムを備えるものに関する。溝と突起の材料と形は、腕輪ストランドの２つの重なり合った部分に腕輪のユーザーが与える圧力の下で溝と突起が相互ロックするように構成している。腕輪ストランドの間の接続は、好ましくは、開く操作をせずに上側のストランドを下側のストランドから遠ざけるように剥がすことによって、容易に分離することができる。本発明の腕輪においては、重い複雑な要素を必要とせずに、連続的な長さ調整が可能である。
【０００５】
非限定的な例として与えられる下記の好ましい実施形態の説明を添付の図面を参照しながら読むことで、本発明の他の特徴や利点を理解することができるであろう。
【図面の簡単な説明】
【０００６】
【図１】本発明の好ましい実施形態に係る腕輪を示している。
【図２】図１の腕輪において連係している要素の断面を示している。
【図３】図１の完全な腕輪の断面を示している。
【図４】腕輪ストランドの間の摩擦力を増加させる手段を溝内に備える腕輪ストランドの実施形態を示している。
【図５】本発明の別の実施形態に係る腕輪の断面を示している。
【図６】本発明に係る締め付けシステムが取り付けられた腕輪を備える腕時計を示している。
【図７】２つのストランドが一体化されており１つのバンドを形成している本発明の別の実施形態に係る腕輪を示している。
【発明を実施するための形態】
【０００７】
図１は、本発明の非限定的な実施形態に係る腕時計の腕輪の２つのストランド１及び２を示している。図６は、この腕輪が取り付けられた腕時計２０を示している。ストランドは、実質的に平坦でありフレキシブルであり、腕時計ケース２１（図６）を固定するための２つのアタッチメント３を備える。腕輪を固定するために、ユーザーは、「下側のストランド」１と呼ばれる一方のストランドを「上側のストランド」２と呼ばれる他方のストランドの一部によって覆う。下側のストランド１には２つの溝４があり、これらの溝４は、互いに平行であり、上側のストランド２との下側のストランド１の相互作用面の実質的に全長にわたって広がっている。前記上側のストランド２には、２つの突起５があり、この突起５は、下側のストランド１との上側のストランド２の相互作用面の実質的に全長にわたって、好ましくは、連続的な形態で、延在しており、これによって、２つの実質的に平行なレール部分を形成している。突起５は、ユーザーがストランドの重なり合った部分に圧力をかけたときに、対応する溝４に嵌まるように位置しており形成されている。これによって、下側のストランドと上側のストランドどうしを固定する。
【０００８】
図２に、ストランド１及び２が均質な要素である場合、すなわち、単一材で形成されている場合、における突起５と対応する溝４の断面を詳細に示している。上側のストランド２の突起５の断面には、「オスハウジング部分」と呼ばれる丸い形の部分１０があり、このオスハウジング部分１０がそのオスハウジング部分１０よりも幅が狭いネック区画１１を介してストランド２に付けられていることがわかる。また、下側のストランド１の溝４の断面には、さらに、「メスハウジング部分」と呼ばれる丸い形のハウジング部分１２があり、このメスハウジング部分１２には、ネック区画１３を介してアクセス可能である。このように、ネック区画１１及び１３はそれぞれ、オス及びメスのハウジング区画１０及び１２と、ストランド２及び１の相互作用面との間に位置している。溝４の要素１２及び１３の寸法構成はそれぞれ、突起５の対応する要素の寸法構成と同じかわずかに大きい。
【０００９】
変種の１つにおいて、オス及びメスのハウジング部分が、ネック区画がある突起及びネック区画がある溝があることを前提として、異なる形の断面を有することができることは明らかである。
【００１０】
なお、図示した例において突起と溝は直線状であるが、曲がっていたり波状であったりするように広がっている突起及び対応する溝を考えることもできる。
【００１１】
ストランド１及び２の少なくとも一方の材料には、ユーザーが重なり合っているストランド部分を押し付けたときに、突起５が溝４とスナップフィットの形態で相互ロックするように十分にフレキシブル性がある。ユーザーが与える圧力の下で、突起５及び／又は溝４は、突起５のオスハウジング部分１０が溝４のネック区画１３を通り抜けることを可能にするようなわずかな弾性変形をして、これによって、ストランド１及び２に対して垂直方向に固定する接続が形成される。この接続は、それにもかかわらず、好ましくは、上側のストランド２を下側のストランド１から遠ざけるように剥がすことによって容易に分離することができる。「剥がす」とは、上側のストランド２の端を取ってそれを下側のストランド１から徐々に分離することによって上側のストランド２を引くことを伴うユーザーによる操作を意味する。この操作によって、突起５をその溝４から除去して締め付けシステムをアンロックすることが可能になる。溝の数、位置及び大きさは、所望の設計、材料及び保持性に応じて調整することができる。
【００１２】
図３は、締め付け位置における図１の腕輪全体における断面を示している。２つの突起５がそれぞれ、対応する溝４内に収容されていることがわかる。突起５と溝４は、組み立てられたストランドの長手方向の中央平面６に対して、両側にあり、対称的である。ストランド１及び２の間の摩擦力によって、滑りによる分離を防ぐことができる。好ましくは、下側のストランド１の相互作用面の断面は、わずかに凸状に曲がっており、これによって、締め付け位置において、上側のストランド２が前記相互作用面の曲がりに追従するようになる。このように、上側のストランド２は、相互ロックしている溝４と突起５の間の保持力によって、下側のストランド１に押し付けられ、このことによって、ストランド１及び２の間の摩擦力が増加する。
【００１３】
図４に示している実施形態において、下側のストランド１の溝４には領域１５があり、この領域１５の面は、その粗さを大きくするように構造が形成されている。この構造は、溝４とそれに収容される突起５の間の摩擦力を増加させる。この構造形成面は、溝４に、突起５に、又はこれらの両方に形成することができる。例えば、この構造は、溝の長手方向に沿って形成されている波形を形成する一連の膨らみによって形成されていることができる。この構造は、突起及び／又は溝の全長にわたって連続的に配置していることができ、また、規則的な間隔にて配置していることができる。
【００１４】
いくつかの変種によると、構造形成面の代わりに、溝４及び／又は突起５に、他の摩擦対処手段を設けることができる。例えば、寸法構成を変えるものであり、例えば、規則的な間隔にて波状にしたり膨らみを形成したりする。
【００１５】
腕輪ストランド１及び２に配置される突起５の数や対応する溝４の数は、本発明の文脈において、制限されない。図５は、下側のストランド１に溝４が１つしかなく、この溝４の幅がストランド１の幅に近いような腕輪の断面を示している。上側のストランド２には単一の突起５がある。上と同様に、突起５と溝４にはネック区画１１、１３及びハウジング部分１０、１２があり、これらによって、弾性スナップフィットにて腕輪を締め付けることが可能になる。これは、用いられる材料の少なくとも１つのフレキシブル性の度合いのおかげである。
【００１６】
本発明のいくつかの実施形態において、各ストランドは、プラスチック材料で作られた均質な要素であり、これによって、キャスティング、射出成形ないし押出し又は熱圧縮によってストランドを製造することができる。様々な射出可能な重合体又は加硫ゴムを使用することができる。代わりに、異なる材料の組み合わせを考えることができる。例えば、二材料系の射出プロセスを用いて異なる剛性を有する領域を形成することを考えることができる。例えば、剛体、準剛体又は連接構造のストランドを用いることができる。これは、例えば、金属、セラミックス又は皮革製のリンクを用いるものである。そして、一方のストランドには、機械加工された一又は複数の溝があり、これにリンクが挿入される。他方のストランドには、ゴムのようなフレキシブルな材料で作られた一又は複数の突起がある。これは、腕輪のリンクの面に取り付けられる（例えば、接合やオーバーモールドされる）。
【００１７】
溝４と突起５の位置を図示している位置とは逆にすることができることは明白である。すなわち、突起５が下側のストランド１にあり、溝４が上側のストランド２にあるようにすることができる。
【００１８】
好ましくは、各溝４に突起５が１つのみある。代わりに、各溝に対して、直列に配置されたいくつかの長手方向の突起５を設けて、これらの突起５のすべてが同じ溝４にて相互ロックするようにすることができる。
【００１９】
本発明の腕輪は、腕時計ケース及び２つの別個のストランドを有する腕時計ストラップに制限されない。本発明は、第１及び第２のストランドがそれらの端のうちの一方によって互いに接続され、例えば、「ＮＡＴＯ」ストラップとして知られているような、一体的な材料でバンドＢを形成している腕輪であって、ユーザーが腕輪を着用したときに、図７に示しているようにバンドの両端の部分どうしが重なり合い、図１〜６を参照しながら説明した要素と同じ要素が用いられるような腕輪も含んでいる。本発明に係るこの種の腕輪には、上記のように、バンドの一方の側に、少なくとも１つの溝４がある第１の部分があり、バンドの他方の側に、少なくとも１つの突起５がある第２の部分がある。この場合、バンドＢのこれらの２つの部分は、本発明に係る腕輪において「第１及び第２のストランド」である。
【００２０】
本発明に係る腕輪においては、連続的な長さ調整をすることができる利点の他に、いくつかの付加的な利点が組み合わさっている。当該腕輪は、使用や製造が容易である。また、クラスプや磁石のための付加的な重量がないために軽い。剛体要素がないこと、そして、小型であるために、ユーザーにとって快適である。また、デプロイアントクラスプの場合のように、維持が非常に単純であり、汚れの蓄積を避けることができる。
【００２１】
また、突起／溝の対の幾何学的構成、位置及び／又は数を適応させることによって、挿入と剥がしに必要な力を容易に変えることができる。
【符号の説明】
【００２２】
１、２  ストランド
３  アタッチメント
４  溝
５  突起
６  長手方向の中央平面
１０、１２  ハウジング部分
１１、１３  ネック区画
２０  腕時計
２１  腕時計ケース
【図１】
2019209122.tif 000003
【図２】
2019209122.tif 000004
【図３】
2019209122.tif 000005
【図４】
2019209122.tif 000006
【図５】
2019209122.tif 000007
【図６】
2019209122.tif 000008
【図７】
2019209122.tif 000009